(57)【特許請求の範囲】
【請求項１】
容器の上部に蓋を螺合した食品容器において、前記容器の側部には全周に亘る周状突起と該周状突起に直交する縦状突起とが形成され、前記容器の側部に着脱可能に装着される断熱部材の内面には、前記周状突起に嵌合される周溝と前記縦状突起に嵌合される縦溝とが形成されたことを特徴とする食品容器。
【請求項２】
前記容器の側部と、断熱部材との間に、空隙部を形成したことを特徴とする請求項１記載の食品容器。
【請求項３】
前記容器の側部には前記断熱部材を容器に装着したときに断熱部材の上端が当接するリブが周設されていることを特徴とする請求項１または２記載の食品容器。
【発明の詳細な説明】
【０００１】
【発明の属する技術分野】
本発明はご飯、味噌汁、惣菜等を入れる食品容器に係り、詳しくは、食品を保温した状態で持ち運ぶ、ランチジャーに用いられる食品容器に関する。
【０００２】
【従来の技術】
ランチジャーは、断熱容器内に、蓋を備えた汁物用容器や御飯用容器や惣菜用容器等の食品容器を複数収容するもので、これらランチジャー用の食品容器は、中に入れた食品が零れないように蓋を螺合するものが多い。
【０００３】
このランチジャーは、熱いものを熱いまま保存できるという利点があり、汁物や御飯を食品容器に入れる際には、加熱調理した食品を熱いうちに容器に入れ、断熱容器内に収納していた。
【０００４】
【発明が解決しようとする課題】
上述のものでは、汁物用容器等の食品容器に熱い食品を入れて蓋を閉める場合、一方の手で蓋を持ち、他方の手で容器側面を掴んで蓋を容器に螺合していたが、食品容器内には熱い食品が入れられているために、容器側面も熱くなり、容器をしっかりと掴むことができず、蓋をきちんと螺合することができないことがあった。このため、食品容器を断熱容器に収容して持ち運ぶ際に、食品容器内の食品、特に汁物が零れてしまうことがあった。
【０００５】
そこで本発明は、簡単な構造で、食品容器内に熱い食品を入れても、蓋を食品容器に確実に螺着することができ、食品の収容状体を良好に保ち、持ち運びに適した食品容器を提供することを目的としている。
【０００６】
【課題を解決するための手段】
上記の目的を達成するため本発明は、容器の上部に蓋を螺合した食品容器において、前記容器の側部には全周に亘る周状突起と該周状突起に直交する縦状突起とが形成され、前記容器の側部に着脱可能に装着される断熱部材の内面には、前記周状突起に嵌合される周溝と前記縦状突起に嵌合される縦溝とが形成されたことを特徴とし、前記容器の側部と、断熱部材との間に、空隙部を形成すること、及び前記容器の側部には前記断熱部材を容器に装着したときに断熱部材の上端が当接するリブが周設されていることを特徴とする。
【０００７】
【発明の実施の形態】
以下、本発明の各形態例を図面に基づいてさらに詳しく説明する。図１及び図２は本発明の第１形態例を示すもので、食品容器１は、蓋付の断熱容器（図示せず）に収容されて使用されるランチジャー用の食品容器で、容器２の上部に蓋３が螺合され、容器２の側部２ａには、リング状の断熱部材４が着脱可能に取り付けられている。
【０００８】
容器２は、合成樹脂製の有底円筒状に形成され、側部２ａの外面上方には、蓋３を螺合するねじ部２ｂが形成されている。また、側部２ａのねじ部下方には、断熱部材４を容器２に装着したときに、断熱部材４の上端が当接するリブ２ｃが周設され、該リブ２ｃの下方には、断熱部材４を係合する係合突部５が形成されている。係合突部５は、容器２の側部２ａの全周に亘って設けられる周状突起５ａと、該周状突起５ａに直交して形成される複数の縦状突起５ｂとから構成され、この縦状突起５ｂは、前記リブ２ｃに連続して形成されると共に、断熱部材４の幅より短く形成されている。また、リブ２ｃの所定箇所には、容器２に装着された断熱部材４を指で押し下げるための切り欠き２ｄが設けられている。
【０００９】
蓋３は、容器２の開口を覆う円形の上部３ａと、該上部３ａの外周より垂下する縁部３ｂとが一体に形成されたもので、縁部３ｂの内面には、前記ねじ部２ｂに螺合するねじ部３ｃが形成されている。また、上部裏面の、蓋３を容器２に装着したときに、容器２の上端２ｅと当接する位置に、凹溝３ｄが周設され、該凹溝３ｄにパッキン６が取り付けられている。さらに、上部３ａの中央には、容器内部が減圧状体となったときに、容器内部に空気を入れて開栓し易くするための弁体７が設けられている。
【００１０】
断熱部材４は、断熱性を有したエラストマーを用いてリング状に形成されるもので、容器２の側部２ａよりやや大径な内周面を有すると共に、容器２に装着したときに、上端外面が前記リブ２ｃと面一になるように、上端は厚肉に形成され、上端から下方へむけて暫時薄肉になるように形成されている。また、断熱部材４の内面には、前記周状突起５ａに嵌合される周溝４ａと、前記縦状突起５ｂに嵌合される複数の縦溝４ｂとが形成され、縦溝４ｂは、断熱部材４の上端より下方に向けて形成される。尚、断熱部材４は、滑り止め機能を持たせるためにエラストマーを用いているが、他の合成樹脂で形成して、外面にリブや凹凸を設けて、滑り止め機能を持たせてもよい。
【００１１】
上述のように形成された食品容器１は、断熱部材４の上端を容器２の底部から、縦状突起５ｂと縦溝４ｂとの位置を合わせて挿入していき、縦状突起５ｂと縦溝４ｂとが嵌り合いながら、断熱部材４の上部が周状突起５ａを乗り越えてリブ２ｃに当接し、周状突起５ａと周溝４ａとが嵌り合って、断熱部材４が容器２に取り付けられる。
【００１２】
これにより、容器２内に熱いスープ等を入れて蓋３を閉める場合、一方の手で蓋３を持ち、他方の手で断熱部材４を介して容器２の側部２ａを確実に掴むことができ、さらに断熱部材４には滑り止め機能があるので、蓋３を容器２にきちんと螺合させることができる。また、容器２の縦状突起５ｂと、断熱部材４の縦溝４ｂとが嵌り合っていることにより、断熱部材４を持って蓋３を強く回しても、断熱部材４が空回りすることを有効に防止することができる。
【００１３】
さらに、蓋３を容器２に螺合すると、蓋３に設けたパッキン６が、容器２の上端２ｅに密着して止水するので、食品容器１を断熱容器に収容して持ち運ぶ際に、食品容器１内の食品が外に零れることがなく、スープ等の汁物も、保温性良く衛生的に持ち運ぶことができる。
【００１４】
また、上述の断熱部材４は、リブ２ｃに設けた切り欠き２ｄに指を入れて押し下げるだけで、簡単に容器２から外すことができるので、周溝４ａや縦溝４ｂや第２形態例の空隙形成溝４ｃの部分に食品が入った場合でも、断熱部材４を容器２から分解して洗浄することができるので衛生的である。
【００１５】
次に本発明の第２形態例を図３に示す。本形態例の断熱部材１０は、第１形態例と同様の容器２に装着されるもので、縦状突起５ｂに嵌合する複数の縦溝１０ａが、断熱部材１０の上端より下方に向けて設けられ、この縦溝１０ａに隣接する突部１０ｂ，１０ｂに、周状突起５ａに嵌合する短い横溝１０ｃ，１０ｃが縦溝１０ａに交差して形成される。さらに、隣り合う縦溝１０ａの突部１０ｂ，１０ｂ間には、縦溝１０ａの容器上下方向の長さと同一の幅を有した、幅広の空隙形成凹部１０ｄが形成されている。
【００１６】
本形態例の断熱部材１０は、断熱部材１０の上端を容器２の底部から、縦状突起５ｂと縦溝１０ａとの位置を合わせて挿入していき、縦状突起５ｂと縦溝１０ａとが嵌り合いながら、断熱部材１０の上部が周状突起５ａを乗り越えてリブ２ｃに当接し、周状突起５ａと横溝１０ｂとが嵌り合って、断熱部材１０が容器２に取り付けられる。このとき、空隙形成凹部１０ｄによって容器２の側部２ａとの間に空隙部が形成され、この空隙部によって断熱効果がさらに高まり、蓋３を螺着するときに、熱い食品を入れた容器をより確実に持つことができる。
【００１７】
図４は、本発明の第３形態例を示すもので、本形態例の断熱部材２０も、第１形態例と同様の容器２に装着され、縦状突起５ｂに嵌合する複数の縦溝２０ｂと、周状突起５ａに嵌合する周溝２０ａとを有し、周溝２０ａの上方及び下方に周状の空隙形成溝２０ｃ，２０ｃが形成されている。
【００１８】
この断熱部材２０が、第１形態例のように容器２に装着されると、空隙形成溝２０ｃ，２０ｃによって容器２の側部２ａとの間に空隙部が形成される。
尚、本発明は、上述の各実施例のように、有底円筒状の容器に適用されるものに限らず、どのような形状の容器にも適用することができ、容器の形状によって、断熱部材の形状や容器への取り付け位置を調整すればよい。
【００１９】
【発明の効果】
以上説明したように、本発明によれば、容器の上部に蓋を螺合した食品容器において、容器の側部に断熱部材を着脱可能に設け、また、前記容器の側部と、断熱部材との間に、空隙部を形成し、さらに、前記蓋の裏面に、前記容器の上端部と密着して止水するパッキンを取り付けたので、簡単な構造で、容器内に熱い食品を入れても、蓋を容器に確実に螺着することができ、持ち運んでも、食品の収容状体を良好に保つことができる。
【図面の簡単な説明】
【図１】  本発明の第１形態例を示す食品容器の一部断面正面図
【図２】  同じく要部説明図
【図３】  本発明の第２形態例を示す食品容器の要部説明図
【図４】  本発明の第３形態例を示す食品容器の要部説明図
【符号の説明】
１…食品容器、２…容器、２ａ…側部、２ｂ，３ｃ…ねじ部、２ｄ…上端、３…蓋、４…断熱部材、５…係合突部、６…パッキン、８…空隙部
【図１】
0004748434.tif 000002
【図２】
0004748434.tif 000003
【図３】
0004748434.tif 000004
【図４】
0004748434.tif 000005